(57)【特許請求の範囲】
【請求項１】
商品内容についての説明文、イラスト等の表示面となる正面板を備えて陳列棚に載置される陳列用告知板において、
正面板を備えた本体板と、横幅が前記正面板の横幅と同程度かもしくは短く、かつ表示面となる２枚のスライド板とより構成され、
これらのスライド板が前記正面板の背後で互に逆の横方向へスライドして前記正面板の両側端からそれぞれ突出するように、前記正面板の裏側の背板により、前記スライド板を前記正面板に沿った前記横方向へスライド可能にガイドする1層のガイド溝が前記本体板に形成され、
前記ガイド溝の上壁及び下壁の少なくとも一方に、ストッパ孔が前記横方向へ複数段に形成されると共に、前記スライド板の内側端部分の上端部分及び下端部分の少なくとも一方に、前記スライド板内端から細片を残すように前記横方向に切込むことにより上下に曲げ弾性を呈し、かつ前記ストッパ孔へ係入する突起を有する被拘束片が形成されたことを特徴とする陳列用告知板。
【請求項２】
商品内容についての説明文、イラスト等の表示面となる正面板を備えた陳列棚に載置される陳列用告知板において、
正面板を備えた本体板と、横幅が前記正面板の横幅と同程度かもしくは短く、かつ表示面となる前後２枚のスライド板とより構成され、
これらのスライド板が前記正面板の背後で互に逆の横方向へスライドして前記正面板の両側端からそれぞれ突出するように、前記正面板の裏側の２層の背板により、前記スライド板を前記正面板に沿った前記横方向へスライド可能にガイドする２層のガイド溝が前記本体板に形成され、
前記ガイド溝の上壁及び下壁の少なくとも一方に、ストッパ孔が前記横方向へ複数段に形成されると共に、前記スライド板の内側端部分の上端部分及び下端部分の少なくとも一方に、前記スライド板内端から細片を残すように前記横方向に切込むことにより上下に曲げ弾性を呈し、かつ前記ストッパ孔へ係入する突起を有する被拘束片が形成されたことを特徴とする陳列用告知板。
【請求項３】
陳列棚の前端で上方へ突出する前壁を係入させるように、正面板の上端を後方へ折り曲げて天板を形成し、この天板の後端を下方へ折曲げた背板を形成することにより、前記前壁の奥行幅以上の奥行幅を有する係合溝が本体板に形成されていることを特徴とする請求項１又は請求項２記載の陳列用告知板。
【請求項４】
本体板が、係合溝を形成した背板の下端を正面板に対して離反方向へ延長されることにより、陳列棚に載置されて商品を載置させるトレイが形成されていることを特徴とする請求項３記載の陳列用告知板。
【請求項５】
本体板から上方へ突設されたポールに、前記本体板の上方へ離間した状態で正面板よりも相対的に小形の小形告知板が支持されていることを特徴とする請求項１乃至請求項４のいずれか記載の陳列用告知板。
【発明の詳細な説明】
【０００１】
【発明の属する技術分野】
本発明は、陳列棚に載置されて商品内容についての説明文、イラスト等を表示する陳列用告知板に関するものである。
【０００２】
【従来の技術】
この種の商品に関する告知を行う陳列用告知板としては、図１０に示すように、正面板１の上端を、陳列棚の前端部分で上方へ曲げられた前壁に係合する係合溝３を形成するように対応する奥行幅の天板２を形成し、その後端を下方へ折り曲げて背板４を形成し、その下端を後方へ折曲げて商品を載置させるトレイ５を形成しているのが周知である。これにより、トレイ５を棚に載置してその前壁に係合溝３を係合させた状態で、トレイ５に商品を載置し、正面板１にその内容を説明する文字、イラストを表示している。
【０００３】
【発明が解決しようとする課題】
しかしながら、告知板の横幅が一定であり、大きさの異なる商品に使用したり、並置する個数を変更したい場合、形状の異なる告知板を用意する必要があった。
【０００４】
本発明は、このような点に鑑みて、横幅をスライド操作により調整可能な陳列用告知板を提供することを目的とする。
【０００５】
【課題を解決するための手段】
本発明は、この目的を達成するために、請求項１により、商品内容についての説明文、イラスト等の表示面となる正面板を備えて陳列棚に載置される陳列用告知板において、正面板（１１；３３）を備えた本体板（１０；３０）と、横幅が正面板（１１；３３）の横幅と同程度かもしくは短く、かつ表示面となる２枚のスライド板（２０；４０）とより構成され、これらのスライド板が正面板（１１；３３）の背後で互に逆の横方向へスライドして正面板（１１；３３）の両側端からそれぞれ突出するように、正面板（１１；３３）の裏側の背板（１３，１６；３２，３５）により、スライド板（２０；４０）を正面板（１１；３３）に沿った横方向へスライド可能にガイドする１層のガイド溝（１３ａ、１４）が本体板（１０；３０）に形成され、ガイド溝（１３ａ，１４）の上壁（３１ａ）及び下壁（３２ａ）の少なくとも一方に、ストッパ孔（１９；３９）が横方向へ複数段に形成されると共に、スライド板（２０；４０）の内側端部分の上端部分及び下端部分の少なくとも一方に、スライド板内端から細片を残すように横方向に切込むことにより上下に曲げ弾性を呈し、かつストッパ孔（１９；３９）へ係入する突起（２３；４２）を有する被拘束片（２２；４１）が形成されたことを特徴とする。
【０００６】
同様に、前述の目的を達成するために、２枚のスライド板を前後２層のガイド溝でスライドさせるのを前提に、請求項２により、商品内容についての説明文、イラスト等の表示面となる正面板を備えた陳列棚に載置される陳列用告知板において、正面板（７２）を備えた本体板（７０）と、横幅が正面板（７２）の横幅と同程度かもしくは短く、かつ表示面となる２枚のスライド板（８０）とより構成され、これらのスライド板が正面板（７２）の背後で互に逆の横方向へスライドして正面板（７２）の両側端からそれぞれ突出するように、正面板（７２）の裏側の２層の背板（７１，７４）により、スライド板（８０）を正面板（７２）に沿った横方向へスライド可能にガイドする２層のガイド溝（７３，７５）が本体板（７０）に形成され、ガイド溝（７３，７５）の上壁及び下壁の少なくとも一方に、ストッパ孔が横方向へ複数段に形成されると共に、スライド板（８０）の内側端部分の上端部分及び下端部分の少なくとも一方に、スライド板内端から細片を残すように横方向に切込むことにより上下に曲げ弾性を呈し、かつストッパ孔へ係入する突起を有する被拘束片が形成されたことを特徴とする。
【０００７】
【発明の実施の形態】
図１乃至図４は、本発明の第１の実施の形態による陳列用告知板を説明する。この陳列用告知板は、商品内容についての説明文、商品に関連したイラスト等の表示面となる正面板１１を有する本体板１０と、同様に商品内容についての説明文、イラスト等の表示面となる半分の横幅を有する両側２個のスライド板２０とより構成され、透明の合成樹脂によりそれぞれ一体に形成されている。
【０００８】
正面板１１の裏側には、折目１２で裏側に折曲げられた背板１３により、下側のガイド溝１３ａが本体板１０に形成されている。上端は、裏側に上側のガイド溝１４を形成するように、折目１５ａで後方へ折曲げられて天板１５が形成され、その後端を折目１６ａで途中の高さ位置まで下方へ折曲げて背板１６が形成されている。その下端は、さらに正面板１１に対して離反方向へ延長されて陳列棚上で商品を載置させるトレイ１７が形成されている。
【０００９】
スライド板２０は、１層のガイド溝１３ａ、１４の上下壁間の離間距離に相当する縦幅を有すると共に、内端側部分の下端部分は、スライド板２０の内端から細片を残すように横方向に切込むことにより上下に曲げ弾性を呈する細片状の被拘束片２２が形成され、その先端に下方へ向けて半球状の突起２３が形成されている。対応して、ガイド溝１３ａの下壁となる折目１２には、２個のスライド板２０を正面板１１の背後に並置させて隠す通常位置及び互に逆の横方向へスライドさせて正面板１１の両側端からそれぞれ突出する４段階の位置で拘束するように、中央の共通の１個及び側方へそれぞれ３個のストッパ孔１９が形成されている。これにより、スライド板２０は突起２３を手で押して被拘束片２２を撓ませてストッパ孔１９に浅く係合させた状態で、突出方向或いはその復帰方向へスライド操作される。
【００１０】
天板１５の奥行幅は、陳列棚８の前端部分で上方へ曲げられた前壁９の係合溝としてガイド溝１４を機能させるように、前壁９を係入させ得るように設定されている。スライド板２０の外側端には後方へ曲がるつまみ２５が形成されている。天板１５の両側端には、内側端部分の上端部分を折曲げて形成された被拘束片２１を最も突出した拘束位置で拘束するストッパ片１８が下方へ向けて形成されている。その背板１６には、図２に示すように、細片状のポール２８が貼着され、その先端に円形の商品内容についての説明文、イラスト等の表示面となる小形告知板２９を取付けて、所謂アイキャッチャとして設けられている。
【００１１】
図３に示すように、正面板１１及び両側のスライド板２０の表面には、陳列に際して説明文及びイラストが記載された白色の用紙２６、２７が貼着される。図４はこのような陳列状態を示すもので、同図Ａでは、スライド板２０は共に、正面板１１の背後に隠れて最短の横幅となり（図２Ａ参照）、突起２３が中央の共通のストッパ孔１９に係入している。トレイ１７には、例えばソープ入りのパック２個と、その内容物が充填されて使用時に吐出される押下げポンプ付容器１個が載置され、正面板１１の用紙２６にはその商品内容の宣伝を行う文字及びイラストが記載されている。併せて、アイキャッチャ２８、２９にも人目を惹く短いワンポイントの宣伝文及びイラストが記載されている。
【００１２】
同図Ｂは、ポンプ付容器を１個追加して両側のスライド板２０を２段目のストッパ孔１９に突起２３を係入する位置にスライドさせた状態を示すもので、対応してイラストも増えている。同図Ｃ及び同図Ｄはさらに商品の陳列幅を広くするように、３段目及び４段目のストッパ孔１９に突起２３が係入させた状態を示すもので、イラストの表示範囲も対応して広くなっている。図２Ｂは、４段目にスライドした最も突出量が大きい状態を示す。
【００１３】
尚、以上説明した本体板１０及びスライド板２０は、１枚の厚紙を折曲げ加工して製作することもできる。その際、ストッパ孔は正面板及びその下端から折り曲げられる背板の間の折目を穿孔して形成され、ストッパ孔の幅はプレス加工された折目の実際の幅より多少大きくなっても良い。この場合、文字及びイラストは直接厚紙に表示することもできる。但し、合成樹脂製であっても透明もしくは着色された樹脂面に長期使用を前提に直接表示することもできる。図５のストッパ片３７及び被拘束片４５の構成で、ガイド溝の互に逆の外側端には、正面板又は背板の折曲げによりストッパ片が形成されると共に、スライド板の内側端にストッパ片にそれぞれ係止される被拘束片を折曲げにより形成することもできる。２枚のスライド板は、本体板の横幅と同程度として、前後に重ねて共通のガイド溝に挿入し、３倍長程度に突出させることも可能である。
【００１４】
図５乃至図７は第２の実施の形態による上下にストッパを備えた厚紙製の陳列用告知板を示す。本体板３０は、図６に示すように、貼着片３１、折目３１ａ、背板３２、折目３２ａ、正面板３３、折目３３ａ、天板３４、折目３４ａ、背板３５、折目３５ａ、トレイ３６が連設されて、展開状態の１枚の厚紙により製作される。正面板３３の両側端には、裏面に折返されるように折目３７ａを介してストッパ片３７が側方へ連設されている。
【００１５】
このような厚紙は、図５に示すように、ストッパ片３７が裏面に折返されると共に、折目３２ａで背板３２を折曲げ、折目３１ａで貼着片３１を表側に折曲げて正面板３３の裏面に貼着して裏面全域に１層のガイド溝が形成される。さらに、折目３３ａ、３４ａ、３５ａで折曲げて、天板３４及び背板３５で前述の前壁９の係合溝を形成して本体板３０が製作される。ガイド溝の上下壁となる背板３２の上下端の折目３１ａ、３２ａには、図１の場合と同様に打ち抜きによりストッパ孔３９が形成される。
【００１６】
両側２枚の半分幅の厚紙製のスライド板４０の内側端部分の上下端部分には、スライド板内端から細片を残すように横方向の切込みにより上下に曲げ弾性を呈する被拘束片４１が形成され、その先端に上下へ向けてコーナ部分の丸い突起４２が形成されている。さらに、切り込み部分には、折目を介して表側に折曲げられた被拘束片４５が形成されている。また、外側端には折目を介してつまみ４３が形成されている。
【００１７】
図７は組立て状態を示すもので、両側のスライド板４０を４段目のストッパ孔３９に突起４２が係入する位置にスライドされ、さらにストッパ片３７で被拘束片４５が拘束されて最も突出量が大きくなっている。
【００１８】
中央の共通のストッパ孔３９に突起４２が係入した状態では、スライド板４０は丁度正面板３３に隠れて、その表面だけで告知が行われる。このようなスライド操作に際して、トレイ３６を持ち上げて天板３４を立て、背板３２の上端を開放した状態で、上下の突起４２を押し込む。正面板３３及びスライド板４０には、直接告知記載を行っても良く、また説明文或いはイラストが記載された用紙を粘着させて、商品を交換する際に貼り替えても良い。天板３４からはアイキャッチャ４９が突出している。以上説明した本体板３０及びスライド板４０は合成樹脂で製作することもできる。
【００１９】
図８及び図９は第３の実施の形態による３倍幅に拡大できる告知板を示すもので、本体板７０は、１枚の厚紙の展開板により製作される。即ち、１層目の背板７１を折目７１ａで折曲げて正面板７２を形成し、その間に１層目のガイド溝７３を形成する。また、正面板７２の上端の折目７２ａで背板７１の背後に折曲げて２層目のガイド溝７５を形成する２層目の背板７４を形成し、さらに折目７５ａを介して連設された貼着片７６を折曲げて背板７１に貼着する。正面板７２の左側端は横方向裏側への折曲げでストッパ片７７が形成され、背板７４の右側端は表側への折曲げでストッパ片７８が形成されている。
【００２０】
前後２枚のスライド板８０は、正面板７２と同じ横幅を有し、それぞれの内側端には表及び裏側横方向への折曲げにより被拘束片８２、８３が形成され、それぞれの外側端には表側へ略直角に曲げられて側板８５が折目を介して形成されている。この側板はつまみとして機能すると共に、スライド板８０の変形を抑制している。
【００２１】
背板７４には、図９Ａに示すように、天板８９ａ及び下方への背板を有することにより、係合溝を形成する取付け部材８９が貼着されている。また、この状態は、２枚のスライド板８０が共に正面板７２の背後で重なった最も狭い横幅になっている。図９Ｂは、両側のスライド板８０が、ストッパ片７７、７８に被拘束片８２、８３が拘束された最大突出状態を示し、正面板７２の三倍幅よりも僅かに短い横幅になっている。スライド板８０は、その縦幅がガイド溝７３、７５の上下壁間の離間距離に相当する縦幅に対応することにより、上下端の折目７１ａ、７２ａ、７５ａに沿って摩擦を伴って摺動することにより、途中の任意の横幅にも調整可能である。
【００２２】
尚、スライド板のガイド溝内での拘束は、ガイド溝７３、７５の上下壁となる折目７１ａ、７２ａ、７５ａの双方もしくは一方に複数段のストッパ孔を穿孔すると共に、前述したような構成により、両側のスライド板８０の内側端部分の上下端部分に、スライド板内端から細片を残すようにスライド方向の切込みにより上下に曲げ弾性を呈する被拘束片を形成し、その先端に上下へ向けてストッパ孔に係入する突起を形成することも考えられる。２枚のスライド板は、本体板の横幅と必ずしも同程度に設定する必要はなく、半分程度にしても良い。
【００２３】
以上説明した図８による前後２枚のスライド板式の告知板は合成樹脂で製作することも可能である。また、いずれの実施の形態による告知板も陳列棚の前壁に係合させる構成を前提に説明したが、陳列棚の構造によっては、係合溝を廃止して正面板の下端から背後に延びるトレイのみにしたり、陳列棚の細片部分を挟持するクリップを本体板に下設する等種々の取り付け構造が考えられる。
【００２４】
【発明の効果】
本発明によれば、商品の大きさ或いは陳列個数に応じて表示面の横幅の調整可能な陳列用告知板が実現されると共に、ストッパ孔の穿孔及び切込みによる被拘束片の形成による簡単な構成のストッパ構造により調整位置での拘束が行われる。被拘束片がスライド板の内端から形成されることにより、スライド板の突出量を大きくすることができる。その際、請求項１の発明によれば、共通のガイド溝で正面板の両側からその横幅を拡大でき、特に横幅の略半分まで両側で拡大するのに適しているが、重ねて略３倍の横幅まで拡大させるように構成することもできる。請求項２の発明によれば、前後２枚のスライド板を２層のうちの所属のガイド溝で正面板の両側から突出させることができ、特に最大で正面板の略３倍の横幅まで拡大するのに適しているが、それより大幅に少ない突出に構成することもできる。さらに、請求項３の発明によれば陳列用告知板を陳列棚にスペースを取らず保持させることができ、請求項４の発明によればさらに確実に陳列棚に保持させることができ、請求項５の発明によれば人目を惹くワンポイントの宣伝が可能となる。
【図面の簡単な説明】
【図１】  第１の実施の形態による陳列用告知板の分解斜視図である。
【図２】  同告知板の組立て及び調整状態を説明する斜視図である。
【図３】  図２のＡ−Ａ線断面図である。
【図４】  同告知板の使用方法を説明する正面図である。
【図５】  第２の実施の形態による陳列用告知板の分解斜視図である。
【図６】  図５の告知板を製作するための展開状態の厚紙の平面図である。
【図７】  図５による告知板の使用状態を説明する斜視図である。
【図８】  第３の実施の形態による陳列用告知板の分解斜視図である。
【図９】  図８による告知板の使用状態を説明する斜視図である。
【図１０】  従来の告知板の斜視図である。
【符号の説明】
８  陳列棚
９  前壁
１０、３０、７０  本体板
１１、３３、７２  正面板
１２、１５ａ、１６ａ、３１ａ、３２ａ、３３ａ、３４ａ、３５ａ、３７ａ、
７１ａ、７２ａ、７５ａ  折目
１３、１６、３２、３５、７１、７４  背板
１３ａ、１４、７３、７５  ガイド溝
１５、３４、８９ａ  天板
１７、３６  トレイ
１８、３７、７７、７８  ストッパ片
１９、３９  ストッパ孔
２０、４０、８０  スライド板
２１、２２、４１、４５、８２、８３  被拘束片
２３、４２  突起
２９  小形告知板
３１、７６  貼着片
【図１】
0004097063.tif 000002
【図２】
0004097063.tif 000003
【図３】
0004097063.tif 000004
【図４】
0004097063.tif 000005
【図５】
0004097063.tif 000006
【図６】
0004097063.tif 000007
【図７】
0004097063.tif 000008
【図８】
0004097063.tif 000009
【図９】
0004097063.tif 000010
【図１０】
0004097063.tif 000011